(57)【要約】【課題】    本発明は、主出力の電圧に関係なく駆動巻線出力をレギュレータの入力に使用することができる新規な多出力スイッチング電源を提供する。【解決手段】  一次・二次間をトランス１で絶縁し、このトランスの二次巻線ｎｓにセンタータップ２を設け、二以上の出力端子を設けてある多出力スイッチング電源において、前記二次巻線の両端にそれぞれスイッチング素子３，４を設けてあり、これらスイッチング素子の出力側に主出力１０を設けてあり、前記トランスにセンタータップ６を備えた駆動巻線ｎｄを設け、この駆動巻線の両端に前記スイッチング素子のそれぞれの制御端子に接続し、前記スイッチング電源が同期するように構成してあり、前記駆動巻線に整流部７並びに平滑部８を接続し、さらに、前記平滑部にレギュレータ９を接続して、副出力１１を少なくとも一つ設けてあることを特徴とする多出力スイッチング電源。【選択図】図１
2006166668.tif 000002
【特許請求の範囲】
【請求項１】
一次・二次間をトランスで絶縁し、このトランスの二次巻線にセンタータップを設け、二以上の出力端子を設けてある多出力スイッチング電源において、前記二次巻線の両端にそれぞれスイッチング素子を設けてあり、これらスイッチング素子の出力側に主出力を設けてあり、前記トランスにセンタータップを備えた駆動巻線を設け、この駆動巻線の両端に前記スイッチング素子のそれぞれの制御端子に接続し、前記スイッチング電源が同期するように構成してあり、前記駆動巻線に整流部並びに平滑部を接続し、さらに、前記平滑部にレギュレータを接続して、副出力を少なくとも一つ設けてあることを特徴とする多出力スイッチング電源。
【発明の詳細な説明】
【技術分野】
【０００１】
本発明は、一次・二次間をトランスで絶縁し、二以上の出力端子を設けてある多出力スイッチング電源に関するものである。
【背景技術】
【０００２】
従来の多出力スイッチング電源は、図３に示す。この多出力スイッチング電源は、一次・二次間をトランス１で絶縁し、このトランスの二次巻線ｎｓにセンタータップ２を設け、二以上の出力端子を設けてある。また、二次巻線ｎｓ１，ｎｓ２の両端にそれぞれスイッチング素子３，４を設けてあり、これらスイッチング素子３，４の出力側に平滑部５を設け、この平滑部５の出力側に主出力１０を設けてある。さらに、トランス１に駆動巻線ｎｄを設け、この駆動巻線ｎｄにセンタータップ６を設け、この駆動巻線ｎｄ１，ｎｄ２の両端にスイッチング素子３，４のそれぞれの制御端子に接続し、このスイッチング電源が同期するように構成し、この主出力１０と並列にレギュレータ９を備えた副出力１１を設けてある（その他の例として特許文献１参照）。
【特許文献１】特開２００４−２０８３７９公報
【発明の開示】
【発明が解決しようとする課題】
【０００３】
しかし、このように構成してある多出力スイッチング電源は、例えば主出力が１５Ｖ位であると、入力電圧範囲は上限でおよそ２０Ｖまでのレギュレータを使用することができるが、主出力が２４Ｖなどの高圧になると、使用可能なレギュレータが限られるという課題が生じる。
【０００４】
本発明は、上記問題に鑑みてなされたものであり、主出力の電圧に関係なく駆動巻線出力をレギュレータの入力に使用することができる新規な多出力スイッチング電源を提供する。
【課題を解決するための手段】
【０００５】
上記課題を解決するために、本発明に係る多出力スイッチング電源は、一次・二次間をトランスで絶縁し、このトランスの二次巻線にセンタータップを設け、二以上の出力端子を設けてある多出力スイッチング電源において、前記二次巻線の両端にそれぞれスイッチング素子を設けてあり、これらスイッチング素子の出力側に主出力を設けてあり、前記トランスにセンタータップを備えた駆動巻線を設け、この駆動巻線の両端に前記スイッチング素子のそれぞれの制御端子に接続し、前記スイッチング電源が同期するように構成してあり、前記駆動巻線に整流部並びに平滑部を接続し、さらに、前記平滑部にレギュレータを接続して、副出力を少なくとも一つ設けてあることを特徴とする。
【発明の効果】
【０００６】
本発明によれば、主出力の電圧に関係なく駆動巻線出力をレギュレータの入力に使用することができる効果がある。
【発明を実施するための最良の形態】
【０００７】
図１に本発明を実施するための最良の形態における主要部の回路図を示す。この多出力スイッチング電源は、一次・二次間をトランス１で絶縁し、このトランス１の二次巻線ｎｓにセンタータップ２を設け、二以上の出力端子を設けてある。トランス１の二次巻線ｎｓ１，ｎｓ２の両端にそれぞれスイッチング素子３，４を設けてあり、これらスイッチング素子３，４の出力側に平滑部５を設け、この平滑部５の出力側に主出力１０を設けてある。
【０００８】
トランス１にセンタータップ６を備えた駆動巻線ｎｄ１，ｎｄ２を設けてある。この駆動巻線ｎｄ１，ｎｄ２の両端にスイッチング素子３，４のそれぞれの制御端子に接続し、このスイッチング電源が同期するように構成してある。また、駆動巻線ｎｄ１，ｎｄ２に２つのダイオード１３，１４を並列に接続してなる整流部７並びに平滑部８を接続してあり、この平滑部８の出力側にレギュレータ９を備えた副出力１１を設けてある。以上より、本実施形態においては、主出力１０が２４Ｖを、副出力１１が１３Ｖをそれぞれ出力するように構成してある。
【０００９】
以上のように構成してある多出力スイッチング電源は以下のような作用をする。一方のスイッチング素子３がオンすると、第一の二次巻線ｎｓ１に電流が流れ、主出力１０に２４Ｖの電流が流れる。また、スイッチング素子３がオンすると、スイッチング素子３の制御端子から電流が流れ、この電流は、第一の駆動巻線ｎｄ１並びに整流ダイオード１３に流れ、整流ダイオード１３により整流され、平滑部８及びレギュレータ９を介して副出力１１に１３Ｖの電流が流れる。
【００１０】
一方のスイッチング素子３がオフして、他方のスイッチング素子４がオンすると、第二の二次巻線ｎｓ２に電流が流れ、主出力１０に２４Ｖの電流が流れる。また、スイッチング素子４がオンすると、スイッチング素子４の制御端子から電流が流れ、この電流は、第二の駆動巻線ｎｄ２並びに整流ダイオード１４に流れ、整流ダイオード１４により整流され、平滑部８及びレギュレータ９を介して副出力１１に１３Ｖの電流が流れる。
【００１１】
以上の作用より、本実施形態においては、片方のスイッチング素子３，４がオンすると、オンしたスイッチング素子３，４の制御端子から電流が流れ、この電流は、駆動巻線ｎｄ１，ｎｄ２並びに整流ダイオード１３，１４に流れ、平滑部８及びレギュレータ９を介して副出力１１に電流が流れるようにしたことにより、主出力１０に例えば２４Ｖの電圧がかかっても、副出力１１に電流を流すことが可能になる。即ち、主出力１０の電圧に関係なく駆動巻線ｎｄの出力をレギュレータ９の入力に使用することができる。
【実施例１】
【００１２】
図２には前記実施形態とは異なる実施例を示してある。図２図示実施例は副出力１１を２つ設けた実施例である。なお、主出力１０に関する回路については、前記実施形態と同様であるため、説明を省略する。
【００１３】
副出力１１に関する回路は、前記実施形態と同様に、駆動巻線ｎｄ１，ｎｄ２に２つのダイオード１３，１４を並列に接続してなる整流部７を接続してある。整流部７の出力に平滑部８を並列に接続してあり、一方の平滑部８の出力側にレギュレータ９を備えた副出力１１を設けてあり、他方の平滑部８には一方の平滑部８とは別のレギュレータ９を備えた副出力１１を設けてある。以上より、本実施例においては、主出力１０が２４Ｖを、２つの副出力１１がそれぞれ１３Ｖを出力するように構成してある。
【００１４】
以上のように構成してある多出力スイッチング電源は概ね前記実施形態と同様の作用をするが、本実施例においては、副出力１１を２つ設けたことにより、片方のスイッチング素子３，４がオンして、オンしたスイッチング素子３，４の制御端子から電流が流れると、この電流は、駆動巻線ｎｄ１，ｎｄ２並びに整流ダイオード１３，１４に流れ、２つの平滑部８及びレギュレータ９を介して副出力１１に電流が流れる。これにより、主出力１０には２４Ｖの電圧がかかっても、副出力１１にはそれぞれ１３Ｖの電流を流すことができる。この場合においても、前記実施形態と同様に、主出力１０の電圧に関係なく駆動巻線ｎｄの出力をレギュレータ９の入力に使用することができる。なお、副出力１１が３つ以上有する場合においても同様の理由より、主出力１０の電圧に関係なく駆動巻線ｎｄの出力をレギュレータ９の入力に使用することができる。
【産業上の利用可能性】
【００１５】
本発明によれば、主出力の電圧に関係なく駆動巻線出力をレギュレータの入力に使用することができる。
【図面の簡単な説明】
【００１６】
【図１】本発明に係る多出力スイッチング電源の最良の実施の形態における主要部の回路図である。
【図２】本発明に係る多出力スイッチング電源の実施例１における主要部の回路図である。
【図３】従来の多出力スイッチング電源における主要部の回路図である。
【符号の説明】
【００１７】
１  トランス
ｎｐ  トランス１の一次巻線
ｎｓ  トランス１の二次巻線
ｎｄ  トランス１の駆動巻線
２  センタータップ
３，４  スイッチング素子
５  平滑部
６  センタータップ
７  整流部
８  平滑部
９  レギュレータ
１０  主出力
１１  副出力
【図１】
2006166668.tif 000003
【図２】
2006166668.tif 000004
【図３】
2006166668.tif 000005